(57)【特許請求の範囲】
【請求項１】
表面に剥離剤加工された剥離紙と、該剥離紙上に粘着剤層を介して仮着された中間紙と、該中間紙上に一旦剥離後は再付着しないように疑似接着された上紙と
から成る多層ラベルにおいて、
前記中間紙は透明フィルムによって構成されるとともに、前記中間紙には、破断用切り込みが中間紙の側縁部から中央部に向けて形成され、前記中間紙を一旦貼り付けた後に剥離すると該中間紙が破断された形状で剥離されることを特徴とする多層ラベル。
【発明の詳細な説明】
【０００１】
【発明の属する技術分野】
本発明は多層ラベルに係り、特に剥離紙に粘着剤層を介して仮着された中間紙と該中間紙に疑似接着された上紙とから成る多層ラベルに関する。
【０００２】
【従来の技術】
一定時間の間だけ商品を値下げして販売するタイムセールを行う場合、商品に一定時間のみ値下げ値を表示するとともに、タイムセール終了後に元の値段に戻す必要がある。このとき、値段の表示されたラベルを貼り替えるのが面倒である。そこで本願発明者は、図１０に示すような多層ラベル１の使用を試みた。この多層ラベル１は、表面に剥離加工されたセパレータ２と、該セパレータ２上に粘着剤層を介して仮着された透明な中間紙３と、該中間紙３上に一旦剥離したら再接着しないように疑似接着された上紙４とを重ね合わせて構成され、上紙４の表面にタイムセール時の値下げ値が表示されている。
【０００３】
この多層ラベル１を使用するには、タイムセール開始時に、セパレータ２を剥離して中間紙３と上紙４を商品の値段部分に重ねて貼り付ける。これにより、タイムセール前の値段が隠れてタイムセール時の値下げ値が表示される。また、タイムセール終了時には、前記上紙４を中間紙３から剥がすことによって値下げ値が外され、透明な中間紙３を介してタイムセール前の値段が表示される。前記上紙４は、中間紙３上に疑似接着という手法を用いて貼り付けられており、一旦中間紙から剥離された上紙は粘着性が無く、廃棄される。
【０００４】
また、元の価格に戻した後に更に価格変更する場合、別のタックラベルに価格を印字し、このタックラベルを透明な中間紙４の表面に強粘着によって貼り付ける。これにより、商品の元の値段が隠れ、タックラベルに印字した値段が新たに表示される。
【０００５】
【発明が解決しようとする課題】
しかしながら、前述の多層ラベルは、中間紙が破れにくいフィルムで構成されているために、新たに貼り付けたタックラベルをきれいに剥がすことができるという問題があった。即ち、タックラベルを剥がして値下げ値に戻すことも、きれいに剥がしたラベルをそのまま他の商品に貼り付けることも可能であった。
【０００６】
本発明はこのような事情に鑑みてなされたもので、商品に残った中間紙上に重ねて貼り付けたラベルが悪用されることを防止できる多層ラベルを提供することを目的とする。
【０００７】
【課題を解決するための手段】
本発明の多層ラベルは、表面に剥離剤加工された剥離紙と、該剥離紙上に粘着剤層を介して仮着された中間紙と、該中間紙上に一旦剥離後は再付着しないように疑似接着された上紙とから成る多層ラベルにおいて、前記中間紙は透明フィルムによって構成されるとともに、前記中間紙には、破断用切り込みが中間紙の側縁部から中央部に向けて形成され、前記中間紙を一旦貼り付けた後に剥離すると該中間紙が破断された形状で剥離されることを特徴とする。
【０００８】
本発明によれば、中間紙に破断用切り込みが形成されているので、商品に残った中間紙にさらに重ねて貼り付けたラベルを剥がそうとすると、前記破断用切り込みによって中間紙が破断された形状で剥離され、ラベルをきれいに剥がすことができない。これにより、中間紙に重ねて貼り付けたラベルの悪用を簡単且つ低コストで防止することができる。
【０００９】
【発明の実施の形態】
以下添付図面に従って、本発明に係る多層ラベルの好ましい実施の形態について詳説する。
【００１０】
図１は、本実施の形態の多層ラベル１０の斜視図である。
【００１１】
同図に示すように、多層ラベル１０は主として、セパレータ（剥離紙）１２と、中間紙１４と、上紙１６とから構成されている。セパレータ１２の表面には剥離加工が施されており、このセパレータ１２の表面に前記中間紙１４が粘着剤層（図示せず）を介して仮着されている。また、中間紙１４は、透明なフィルムによって構成されている。
【００１２】
一方、上紙１６は、中間紙１４の表面に疑似接着されており、一旦中間紙１４から剥離した後は、再付着しないように構成されている。この上紙１４の表面には、図２に示すように、タイムセール時の値段（以下、値下げ値と称す）２２が印字されている。なお、上紙１６の印字は、例えば、上紙１６の表面に感熱層を設け、この感熱層にサーマルプリンタによって印字する。
【００１３】
また、前記上紙１６及び中間紙１４には、側縁部から中央部に向けて複数の破断用切り込み（タンパカット）１８、１８…が略等間隔で形成されている。これにより、一旦貼り付けた中間紙１４を無理に剥離すると、破断用切り込み１８から破れて、中間紙１４が破断された形状に剥離される。
【００１４】
次に上記の如く構成された多層ラベル１０の使用方法を説明する。
【００１５】
タイムセールを行う場合、まず、多層ラベル１０のセパレータ１２を剥がし、中間紙１４裏面の粘着剤層によって多層ラベル１０を商品に貼り付ける。このとき、図２に示すように、多層ラベル１０を、商品に表示された正規の値段２４の上に重ねて貼り付け、正規の値段２４が見えなくなるようにする。これにより、正規の値段２４の代わりに上紙１６の表面に印字された値下げ値２２が表示されるようになる。
【００１６】
また、タイムセールが終わって元の値段２４に戻すときには、図３に矢印３０で示すように、上紙１６の端を持って上紙１６を中間紙１４から剥がし、上紙１６を廃棄する。このとき、上紙１６は中間紙１４に疑似接着されているので、上紙１６を剥がしても、中間紙１４が破断されることがない。これにより、図４に示すように、透明な中間紙１４を介して正規の値段２４が表示される。なお、中間紙１４から一旦剥離された上紙１６は、再び貼り付けることができないので、悪用されることがない。
【００１７】
この状態からさらに価格を変更する場合、図５に示すように、透明な中間紙１４の表面に別のタックラベル２６を貼り付ける。このタックラベル２６には、別の価格２８が印字されているので、正規の値段２４に代わってその価格２８が表示されることになる。
【００１８】
ところで、新たに貼り付けられたタックラベル２６は、強粘着で中間紙１４に貼り付けられているが、中間紙１４がフィルムによって構成されているために、図１０に示した多層ラベル１の使用を試みた場合には、タックラベル２６をきれいに剥がすことができた。即ち、フィルムから成る中間紙１４は破れにくいので、タックラベル２６を容易にきれいに剥がすことができた。これに対し、本実施の形態の多層ラベル１０は、中間紙１４に複数の破断用切り込み１８、１８…が形成されているので、中間紙１４が破れやすく、タックラベル２６を無理に剥がそうとすると、前記破断用切り込み１８の位置に剪断応力が生じて中間紙１４が破れる。このため、タックラベル２６をきれいに剥がすことができず、タックラベル２６を新たに他の商品に貼り付けても違和感が残るので、不正を防止することができる。
【００１９】
このように、本実施の形態の多層ラベル１０は、中間紙１４に破断用切り込み１８が形成されているので、中間紙１４に新たに貼り付けたタックラベル２６をきれいに剥がすことができず、タックラベル２６の不正使用も防止することができる。
【００２０】
また、多層ラベル１０は、中間紙１４に破断用切り込み１８が形成されているので、多層ラベル１０そのものを中間紙１４ごときれいに剥がすことができなくなり、多層ラベル１０の不正使用も防止することができる。
【００２１】
なお、上述した実施の形態では、多層ラベル１０の表面側から切り込み加工することを想定して上紙１６と中間紙１４に破断用切り込み１８を形成したが、これに限られるものではなく、中間紙１４に破断用切り込み１８が形成されていればよい。例えば、図６に示すように、多層ラベル１０の裏面側から切り込み加工することによって中間紙１４及びセパレータ１２に破断用切り込み１８を形成してもよい。
【００２２】
また、図７に示すように、図６の上紙１６及び中間紙１４をセパレータ１２から剥がして別のセパレータ１３に仮着することによって、中間紙１４のみに破断用切り込み１８を形成してもよい。
【００２３】
また、図８に示すように、上紙１６よりも中間紙１４を大きく形成すれば、中間紙１４のみに容易に切り込み加工することができるとともに、上紙１６を中間紙１４から簡単に剥がすことができる。
【００２４】
また、上述した実施の形態は、中間紙１４と上紙１６からなる多層ラベル１０の例で説明したが、もっと多層からなる場合であっても、破断用切り込み１８を形成することによってラベルの悪用を防止することができる。
【００２５】
また、本実施の形態は、タイムセールに使用するために中間紙１４が透明な例で説明したがこれに限定するものでなく、中間紙１４の表面に値段等が印字されていてもよい。
【００２６】
さらに、破断用切り込み１８の形状は、上述した実施の形態に限定されるものではなく、中間紙１４又は中間紙１４に上貼りしたタックラベル２６を無理に剥がした際に、中間紙１４が破断された形状に剥離されるのであればよい。例えば、図９に示すように、Ｖ字状の破断用切り込み３２、３２を形成してもよい。
【００２７】
【発明の効果】
以上説明したように本発明の多層ラベルによれば、中間紙に破断用切り込みを入れたので、商品に残った中間紙に他のラベルを貼り付けても、そのラベルを容易に剥がすことができなくなり、ラベルの悪用を防止することができる。
【図面の簡単な説明】
【図１】本発明の実施の形態に係る多層ラベルの斜視図
【図２】図１の多層ラベルの貼り付け状況を示す説明図
【図３】図１の多層ラベルの貼り付け状況を示す斜視図
【図４】図３の上紙を剥がした中間紙の斜視図
【図５】タックラベルの貼り付け状況を示す説明図
【図６】図１と別形状の多層ラベルの斜視図
【図７】図１と別形状の多層ラベルの斜視図
【図８】図１と別形状の多層ラベルの斜視図
【図９】図１と別形状の破断用切り込みを示す斜視図
【図１０】本発明の先行技術に係る多層ラベルを示す斜視図
【符号の説明】
１０…多層ラベル、１２…セパレータ、１４…中間紙、１６…上紙、１８…破断用切り込み
【図１】
0004429424.tif 000002
【図２】
0004429424.tif 000003
【図３】
0004429424.tif 000004
【図４】
0004429424.tif 000005
【図５】
0004429424.tif 000006
【図６】
0004429424.tif 000007
【図７】
0004429424.tif 000008
【図８】
0004429424.tif 000009
【図９】
0004429424.tif 000010
【図１０】
0004429424.tif 000011